【手続補正書】
【提出日】平成20年7月7日(2008.7.7)
【手続補正１】
【補正対象書類名】明細書
【補正対象項目名】特許請求の範囲
【補正方法】変更
【補正の内容】
【特許請求の範囲】
【請求項１】  クロマトグラフィカラム（１８）と試料モジュール（１６）とを備えたクロマトグラフィセットであって、
前記試料モジュールは、
流入口と流出口を有する筒状フロースルー要素（２２）と、
該筒状フロースルー要素の内部に置かれるクロマトグラフィ媒体（２８）と、
を備え、
流入側開口端部を有する前記クロマトグラフィカラムは、試料モジュール受容領域を区画する前記流入側開口端部から離れているクロマトグラフィ分離用媒体（１４２）を備え、
前記試料モジュールの前記筒状フロースルー要素は、前記クロマトグラフィカラム（１８）内に嵌合する寸法である、クロマトグラフィセット。
【請求項２】  前記筒状フロースルー要素内に、第１及び第２の多孔プレート（２４、２６）が嵌合されており、当該第１及び第２の多孔プレート（２４、２６）の間に前記クロマトグラフィ媒体（２８）が配置されている、請求項１に記載のクロマトグラフィセット。
【請求項３】  前記第２の多孔プレート（２６）は、前記試料モジュール（１６）を前記クロマトグラフィカラム（１８）に嵌合したときに、前記クロマトグラフィカラム（１８）内の前記クロマトグラフィ分離用媒体（１４２）か、あるいは、前記クロマトグラフィ分離用媒体（１４２）に隣接するクロマトグラフィカラム多孔プレート（１４４）と近接可能なように、前記筒状フロースルー要素（２２）内に配置されている、請求項２に記載のクロマトグラフィセット。
【請求項４】  前記クロマトグラフィカラム（１８）を密封するための密封ヘッド（１１０）を更に備え、前記第１の多孔プレート（２４）は、前記密封ヘッド用の受容領域が区画されるように、前記流入口から離して設けられている、請求項２または３に記載のクロマトグラフィセット。
【請求項５】  前記密封ヘッド（１１０）は、前記密封ヘッド用の受容領域内において前記フロースルー要素の内壁に対してシールを形成するための第１の弾性密封要素（１３４）と、前記クロマトグラフィカラム（１８）の内面に対してシールを形成するように設けられる第２の弾性密封要素（１３６）とを備える、請求項４に記載のクロマトグラフィセット。
【請求項６】  前記筒状フロースルー要素（２２）は、前記クロマトグラフィカラム（１８）に対し０．０００ｃｍ（０．０００インチ）〜０．０２５ｃｍ（０．０１０インチ）の径方向の間隔で嵌合すべく構成されており、前記第２の多孔プレート（２６）は、前記試料モジュール（１６）を前記クロマトグラフィカラム（１８）に嵌合したときに、前記クロマトグラフィ分離用媒体（１４２）と隣接可能なように、前記筒状フロースルー要素（２２）内に配置されている、請求項２乃至５のいずれか一項に記載のクロマトグラフィセット。
【請求項７】  前記筒状フロースルー要素（２２）は、前記クロマトグラフィカラム（１８）に対し０．０００ｃｍ（０．０００インチ）〜０．０２５ｃｍ（０．０１０インチ）の径方向の間隔で嵌合すべく構成されており、前記クロマトグラフィ分離用媒体（１４２）は、クロマトグラフィカラム多孔プレート（１４４）によって境界が画定されており、前記第２の多孔プレート（２６）は、前記試料モジュール（１６）を前記クロマトグラフィカラム（１８）に嵌合したときに、前記クロマトグラフィカラム多孔プレート（１４４）と隣接可能なように、前記筒状フロースルー要素（２２）内に配置されている、請求項２乃至５のいずれか一項に記載のクロマトグラフィセット。
【請求項８】  前記第２の多孔プレート（２６）は、前記筒状フロースルー要素（２２）の前記流出口とほぼ面一である、請求項２乃至７のいずれか一項に記載のクロマトグラフィセット。
【請求項９】  前記筒状フロースルー要素（２２）は、壁部を有しており、前記筒状フロースルー要素（２２）の前記流入口と前記流出口は、それぞれ端部を有しており、
前記クロマトグラフィ媒体（２８）は、前記壁部が当該クロマトグラフィ媒体（２８）よりも上方に向かって延びるように、前記流入口の端部から離れている、請求項１乃至８のいずれか一項に記載のクロマトグラフィセット。
【請求項１０】  前記クロマトグラフィカラム（１８）を密封するための密封ヘッドを更に備え、前記筒状フロースルー要素（２２）の前記壁部の内面は、前記密封ヘッドとシールを形成するための内側シール面として機能する、請求項９に記載のクロマトグラフィセット。
【請求項１１】  請求項１に記載のクロマトグラフィセットを用意することと、
試料を前記試料モジュール（１６）の前記筒状フロースルー要素（２２）の前記クロマトグラフィ媒体に担持させておくことと、
前記試料モジュールを前記クロマトグラフィカラム（１８）に挿入して前記クロマトグラフィカラム（１８）内に嵌合させることと、
を含むクロマトグラフィプロセス。
【請求項１２】  密封ヘッド（１１０）を連結して、前記クロマトグラフィカラム（１８）に対する前記密封ヘッドによるシールを形成するとともに、前記試料モジュールに対する前記密封ヘッドによるシールを形成することをさらに備える、請求項１１に記載のクロマトグラフィプロセス。
【請求項１３】  前記プロセスは、クロマトグラフィ試料モジュール（１６）を使用することを更に備えるとともに、
前記クロマトグラフィ媒体（２８）は、前記筒状フロースルー要素（２２）が受容領域を区画するように、前記流入口から離して設けられており、
第１の弾性密封要素（１３４）を有するヘッド部分の一部を前記筒状フロースルー要素に挿入することによって、前記受容領域において当該筒状フロースルー要素の内面に対するシールを形成するとともに前記クロマトグラフィカラム（１８）の内面に対する前記ヘッド部分の別の一部によるシールを形成して、前記密封ヘッドと連結密封することを更に備える、請求項１２に記載のクロマトグラフィプロセス。
【請求項１４】  前記クロマトグラフィ媒体（２８）を、前記筒状フロースルー要素（２２）内に予め収容し、溶液内に溶解した前記試料で処理し、そして乾燥させることにより、乾燥状態の前記試料を前記クロマトグラフィ媒体に担持させ、
前記密封ヘッドで前記筒状フロースルー要素（２２）を密封することを備える、請求項１１乃至１３のいずれか一項に記載のクロマトグラフィプロセス。
【請求項１５】  前記クロマトグラフィ試料モジュール（１６）は、前記筒状フロースルー要素内に嵌合されている第１及び第２の多孔プレート（２４、２６）を更に備え、前記クロマトグラフィ媒体（２８）が前記第１及び第２の多孔プレート間に収容されている、請求項１１乃至１４のいずれか一項に記載のクロマトグラフィプロセス。
【請求項１６】  前記第２の多孔プレート（２６）は、前記試料モジュール（１６）を前記クロマトグラフィカラム（１８）に嵌合したときに、前記クロマトグラフィ分離用媒体（２８）と隣接可能なように、前記筒状フロースルー要素（２２）内に配置されている、請求項１５に記載のクロマトグラフィプロセス。
【請求項１７】  前記クロマトグラフィ分離用媒体（１４２）は、クロマトグラフィカラム多孔プレート（１４４）によって軸方向に境界が画定されており、前記第２の多孔プレート（２６）は、前記試料モジュール（１６）を前記クロマトグラフィカラム（１８）に嵌合したときに、前記クロマトグラフィカラム多孔プレート（１４４）と隣接可能なように、前記筒状フロースルー要素（２２）内に配置されている、請求項１１乃至１６のいずれか一項に記載のクロマトグラフィプロセス。
【請求項１８】  前記試料は溶媒に溶解され、前記クロマトグラフィ媒体（２８）上で前記試料モジュール内に保持される、請求項１４に記載のクロマトグラフィプロセス。
【請求項１９】  前記密封ヘッド（１１０）は、前記クロマトグラフィカラム（１８）の内面に対してシールを形成する第２の弾性密封要素（１３６）を備える、請求項１２乃至１８のいずれか一項に記載のクロマトグラフィプロセス。
【請求項２０】  前記筒状フロースルー要素（２２）と前記クロマトグラフィカラム（１８）とを前記密封ヘッド（１１０）で密封することは、前記第１及び第２の弾性密封要素（１３４、１３６）を前記ヘッド部分の相対摺動可能な異部分間で圧縮して、当該第１及び第２の弾性密封要素を拡張させることを含む、請求項１２乃至１９のいずれか一項に記載のクロマトグラフィプロセス。